(57)【特許請求の範囲】
【請求項１】
リビングルームである部屋とバルコニーとが、開口部を有する壁を介して隣り合うようにして配置されるバルコニー付き住宅において、
前記壁は、前記開口部の下部に位置するとともに、前記部屋の床とバルコニーの床との間に立設される下壁部を備えており、
前記部屋には、前記下壁部に当接して配置されるとともに、前記下壁部と略等しい高さに設定され、座面を有するベンチが設けられており、
前記バルコニーには、前記下壁部に近接して配置されるとともに、前記下壁部と略等しい高さに設定されるデッキが設けられており、
前記ベンチの前記座面は、複数の長尺な板材が並設されて構成された座板の上面であり、
前記デッキは、このデッキの上部に設けられることによって床面を構成するデッキ床を備え、前記デッキ床は、前記ベンチの前記座板を構成する前記複数の板材と同様の方向に並設された複数の長尺な板材によって構成されていることを特徴とするバルコニー付き住宅。
【請求項２】
請求項１に記載のバルコニー付き住宅において、
前記ベンチは、前記開口部の幅寸法よりも幅広に設定されていることを特徴とするバルコニー付き住宅。
【請求項３】
請求項１または２に記載のバルコニー付き建物において、
前記開口部を有する壁を除くバルコニーの周縁部から所定の間隔をあけて前記デッキが設けられており、このデッキと前記バルコニーの周縁部との間が植栽部とされていることを特徴とするバルコニー付き住宅。
【請求項４】
請求項１〜３のいずれか一項に記載のバルコニー付き住宅において、
前記ベンチは、前記開口部から外れた位置に、凹型に形成された室内植栽部を備えることを特徴とするバルコニー付き住宅。
【請求項５】
請求項４に記載のバルコニー付き住宅において、
前記室内植栽部の底部は、前記部屋の床となっていることを特徴とするバルコニー付き住宅。
【請求項６】
請求項１〜５のいずれか一項に記載のバルコニー付き住宅において、
前記デッキ床と前記バルコニーの床との間が収納部とされていることを特徴とするバルコニー付き住宅。
【請求項７】
請求項６に記載のバルコニー付き住宅において、
前記収納部は、上方に向かって開口する取り出し口と、この取り出し口を開閉する蓋部とを備えており、
この蓋部の上面には、上面が、前記デッキ床の上面と面一となる補助床材が取り付けられていることを特徴とするバルコニー付き住宅。
【請求項８】
請求項３を引用する請求項６または７に記載のバルコニー付き住宅において、
前記収納部は、前記植栽部側に向かって開口する取り出し口と、この取り出し口を開閉する扉部とを備えていることを特徴とするバルコニー付き住宅。
【請求項９】
請求項１〜８のいずれか一項に記載のバルコニー付き住宅において、
前記ベンチは、前記部屋の床上に立設される脚部と、当該脚部の上端部に設けられる上部パネルとを有する基台を備えており、
前記基台は、前記上部パネルの先端が、前記脚部よりも前記部屋側に突出するようにして形成されていることを特徴とするバルコニー付き住宅。
【発明の詳細な説明】
【技術分野】
【０００１】
本発明は、部屋とバルコニーとが、開口部を有する壁を介して隣り合うようにして配置されるバルコニー付き住宅に関する。
【背景技術】
【０００２】
従来、敷地が狭小であるために、充分な庭を確保することができない都市型の住宅等の建物においては、リビング等の部屋に望むバルコニーで栽培される花や観葉植物等の緑を、窓越しに眺めて楽しむといったことが行われている（例えば、特許文献１参照）。これによって居住者は庭にいるような開放感を得られる。
【先行技術文献】
【特許文献】
【０００３】
【特許文献１】特開２００２−１３８５７１号公報
【発明の概要】
【発明が解決しようとする課題】
【０００４】
ところで、部屋とバルコニーとの間に立設される壁に窓等の開口部を設ける場合、バルコニーから部屋内へと雨水が浸入することを防ぐために、開口部の下部に位置するとともに、側断面視において凸型に形成された跨ぎ段差状の下壁部が、部屋の床とバルコニーの床との間に立設される場合がある。
ところが、このような下壁部を部屋とバルコニーとの間に設けると、部屋からバルコニーを眺める際に、この下壁部が目に入ってしまったり、部屋とバルコニーとを行き来する際に、この下壁部を跨いで行き来しなければならないため、この下壁部によって部屋とバルコニーとが分断された印象を受けてしまう場合がある。
【０００５】
本発明の課題は、部屋とバルコニーとの一体感を向上させて開放感を得ることが可能なバルコニー付き住宅を提供することを目的とする。
【課題を解決するための手段】
【０００６】
請求項１に記載の発明は、例えば図１〜図３に示すように、リビングルームである部屋１とバルコニー２とが、開口部４を有する壁３を介して隣り合うようにして配置されるバルコニー付き住宅において、
前記壁３は、前記開口部４の下部に位置するとともに、前記部屋１の床１ａとバルコニー２の床２ａとの間に立設される下壁部３ｂを備えており、
前記部屋１には、前記下壁部３ｂに当接して配置されるとともに、前記下壁部３ｂと略等しい高さに設定され、座面を有するベンチ１０が設けられており、
前記バルコニー２には、前記下壁部３ｂに近接して配置されるとともに、前記下壁部３ｂと略等しい高さに設定されるデッキ２０が設けられており、
前記ベンチ１０の前記座面は、複数の長尺な板材１１ｂが並設されて構成された座板１１の上面であり、
前記デッキ２０は、このデッキ２０の上部に設けられることによって床面を構成するデッキ床２１を備え、前記デッキ床２１は、前記ベンチ１０の前記座板１１を構成する前記複数の板材１１ｂと同様の方向に並設された複数の長尺な板材２１ａによって構成されていることを特徴とする。
【０００７】
請求項１に記載の発明によれば、前記部屋１には、前記下壁部３ｂに当接して配置されるとともに、前記下壁部３ｂと略等しい高さに設定され、座面を有するベンチ１０が設けられており、前記バルコニー２には、前記下壁部３ｂに近接して配置されるとともに、前記下壁部３ｂと略等しい高さに設定されるデッキ２０が設けられているので、前記下壁部３ｂが目に入り難くなるとともに、この下壁部３ｂを跨いで前記部屋１とバルコニー２とを行き来する必要がなくなる。しかも、前記ベンチ１０とデッキ２０とを、前記下壁部３ｂを介して連続的に、かつ略等しい高さとなるように配置できるので、前記部屋１からバルコニー２を眺めた際に、前記バルコニー２に配置されたデッキ２０が、部屋１側に突出して配置されたような印象を与えることができる。
これによって、従来に比して、前記部屋１とバルコニー２との一体感を向上させることができるので、居住者は、前記部屋１からバルコニー２を眺めた際に、前記部屋１にいながらにして、庭にいるような開放感を得ることが可能となる。そして、前記部屋１がリビングルームであり、居住者が普段いる場所である当該リビングルームにおける開放感を高めることができるので、居住者にとって快適な居住空間を形成することができる。
【０００９】
請求項２に記載の発明は、例えば図１に示すように、請求項１に記載のバルコニー付き住宅において、
前記ベンチ１０は、前記開口部４の幅寸法よりも幅広に設定されていることを特徴とする。
【００１０】
請求項２に記載の発明によれば、前記ベンチ１０は、前記開口部４の幅寸法よりも幅広に設定されているので、前記下壁部３ｂがより目に入り難くなるとともに、この下壁部３ｂを跨いで前記部屋１とバルコニー２とを行き来する必要がなくなるので、従来に比して、前記部屋１とバルコニー２との一体感を、より向上させることができる。その上、例えば前記ベンチ１０が前記開口部４よりも幅狭に設定される場合に比して、前記デッキ２０が部屋１側により広く進出してきたような印象を与えることができる。
【００１１】
請求項３に記載の発明は、例えば図１に示すように、請求項１または２に記載のバルコニー付き建物において、
前記開口部４を有する壁３を除くバルコニー２の周縁部から所定の間隔をあけて前記デッキ２０が設けられており、このデッキ２０と前記バルコニー２の周縁部との間が植栽部２ｂとされていることを特徴とする。
【００１２】
請求項３に記載の発明によれば、前記開口部４を有する壁３を除くバルコニー２の周縁部から所定の間隔をあけて前記デッキ２０が設けられており、このデッキ２０と前記バルコニー２の周縁部との間が植栽部２ｂとされているので、この植栽部２ｂにおいて花や観葉植物等の植物を栽培することができる。これによって、夏季の室温の上昇を抑制できたり、居住者が安らぎ感を得られたり等の緑化による様々な効果を得ることができるので、このような植栽部２ｂが設けられたバルコニー２を眺める居住者にとって、快適な居住環境を形成することができる。
【００１３】
請求項４に記載の発明は、請求項１〜３のいずれか一項に記載のバルコニー付き住宅において、
前記ベンチは、前記開口部から外れた位置に、凹型に形成された室内植栽部を備えることを特徴とする。
【００１４】
請求項５に記載の発明は、請求項４に記載のバルコニー付き住宅において、
前記室内植栽部の底部は、前記部屋の床となっていることを特徴とする。
【００１６】
請求項６に記載の発明は、例えば図１〜図６に示すように、請求項１〜５のいずれか一項に記載のバルコニー付き住宅において、
前記デッキ床２１と前記バルコニー２の床２ａとの間が収納部２３（２３Ａ）とされていることを特徴とする。
【００１７】
請求項６に記載の発明によれば、前記デッキ床２１と前記バルコニー２の床２ａとの間が収納部２３（２３Ａ）とされているので、前記バルコニー２で使用する物品や外部で使用する物品を収納することができる。
【００１８】
請求項７に記載の発明は、例えば図４および図６に示すように、請求項６に記載のバルコニー付き住宅において、
前記収納部２３は、上方に向かって開口する取り出し口２４と、この取り出し口２４を開閉する蓋部２５とを備えており、
この蓋部２５の上面には、上面が、前記デッキ床２１の上面と面一となる補助床材２５ａが取り付けられていることを特徴とする。
【００１９】
請求項７に記載の発明によれば、前記収納部２３は、上方に向かって開口する取り出し口２４と、この取り出し口２４を開閉する蓋部２５とを備えているので、この蓋部２５によって前記取り出し口２４を確実に開閉できる。また、前記蓋部２５の上面には、上面が、前記デッキ床２１の上面と面一となる補助床材２５ａが取り付けられているので、前記デッキ２０上に段差が生じることを防ぐことができ、前記デッキ床２１上を障害なく歩行できる。しかも、これら補助床材２５ａとデッキ床２１とを一体的に見せることができるので、前記蓋部２５の存在を目立たなくすることができる。
【００２０】
請求項８に記載の発明は、例えば図５および図６に示すように、請求項３を引用する請求項６または７に記載のバルコニー付き住宅において、
前記収納部２３Ａは、前記植栽部２ｂ側に向かって開口する取り出し口２４Ａと、この取り出し口２４Ａを開閉する扉部２５Ａとを備えていることを特徴とする。
【００２１】
請求項８に記載の発明によれば、前記収納部２３Ａは、前記植栽部２ｂ側に向かって開口する取り出し口２４Ａと、この取り出し口２４Ａを開閉する扉部２５Ａとを備えているので、この扉部２５Ａによって前記取り出し口２４Ａを確実に開閉できる。また、前記取り出し口２４Ａが前記植栽部２ｂ側に向かって開口しているので、物品を側方向から前記収納部２３Ａに収納したり、前記収納部２３Ａから取り出したりすることができる。
【００２２】
請求項９に記載の発明は、例えば図２，図３に示すように、請求項１〜８のいずれか一項に記載のバルコニー付き住宅において、
前記ベンチ１０は、前記部屋１の床１ａ上に立設される脚部１２ａと、当該脚部１２ａの上端部に設けられる上部パネル１２ｂとを有する基台１２を備えており、
前記基台１２は、前記上部パネル１２ａの先端が、前記脚部１２ａよりも前記部屋１側に突出するようにして形成されていることを特徴とする。
【００２３】
請求項９に記載の発明によれば、前記基台１２は、前記上部パネル１２ａの先端が、前記脚部１２ａよりも前記部屋１側に突出するようにして形成されているので、前記ベンチ１０を前記部屋１側に迫り出した状態とすることができる。これによって、居住者に対して、前記部屋１と一体感のある状態で隣り合っている前記バルコニー２を、より前記部屋１側に進出させたような印象を与えることができる。その結果、居住者は、前記部屋１からバルコニー２を眺めた際に、前記部屋１にいながらにして、庭にいるような開放感をより確実に得ることが可能となる。
また、前記ベンチ１０に座る際、また前記ベンチ１０から立ち上がる際に、居住者の踵を、前記上部パネル１２ｂの前記部屋１側に突出した部分の下方空間に入れることができるので、前記ベンチ１０に座りやすく、また前記ベンチ１０から立ち上がりやすくなる。
【発明の効果】
【００２４】
本発明によれば、リビングルームである部屋とバルコニーとの一体感を向上させることができるので、居住者は、部屋からバルコニーを眺めた際に、部屋にいながらにして、庭にいるような開放感を得ることが可能となる。
【図面の簡単な説明】
【００２５】
【図１】本発明のバルコニー付き住宅を示す平面図である。
【図２】部屋とバルコニーとの境を示す断面図である。
【図３】部屋の一部とバルコニーとを示す断面図である。
【図４】デッキ床とバルコニの床との間の収納部の一例を示す断面図である。
【図５】デッキ床とバルコニの床との間の収納部の一例を示す断面図である。
【図６】デッキ床とバルコニの床との間の収納部の一例を示す断面図である。
【発明を実施するための形態】
【００２６】
以下、図面を参照して本発明の実施の形態について説明する。
なお、本実施の形態のバルコニー付き住宅は、壁や床、屋根といった建物の構成要素を予め工場にてパネル化しておき、施工現場でこれらのパネルを組み立てて構築するパネル工法で構築されるが、従来の軸組工法や壁式工法の木造、鉄骨造、鉄筋コンクリート造等の建物にも適用することができる。
【００２７】
本実施の形態のバルコニー付き住宅は、図１〜図３に示すように、部屋１とバルコニー２とが、開口部４を有する壁３を介して隣り合うようにして配置されるものであり、前記壁３は、前記開口部４の下部に位置するとともに、前記部屋１の床１ａとバルコニー２の床２ａとの間に立設される下壁部３ｂを備えており、前記部屋１には、前記下壁部３ｂに当接して配置されるとともに、前記下壁部３ｂと略等しい高さに設定されるベンチ１０が設けられており、前記バルコニー２には、前記下壁部３ｂに近接して配置されるとともに、前記下壁部３ｂと略等しい高さに設定されるデッキ２０が設けられている。
【００２８】
すなわち、前記ベンチ１０とデッキ２０とを、前記下壁部３ｂを介して連続的に、かつ略等しい高さとなるように配置できるので、前記部屋１からバルコニー２を眺めた際に、前記バルコニー２に配置されたデッキ２０が、部屋１側に突出して配置されたような印象を与えることができるようになっている。
また、前記下壁部３ｂが目に入り難くなるとともに、この下壁部３ｂを跨いで前記部屋１とバルコニー２とを行き来する必要がなくなる。
【００２９】
ここで、前記部屋１は、例えば居住者や家族が普段いるリビングルームであり、このような部屋１に隣り合うようにして前記バルコニー２が配置されている。
【００３０】
前記バルコニー２は、例えばインナーバルコニーやルーフバルコニーであり、比較的広い面積を確保できるようになっている。
さらに、このバルコニー２には、図１および図３に示すように、前記開口部４を有する壁３に対向するようにしてルーバー６が設けられている。このルーバー６は、複数の長尺な羽板を上下方向に所定の間隔をあけて並設して形成されており、近隣からの視線を遮りながら、必要な日差しを取り込んだり、風を取り込むことができるようになっている。
【００３１】
前記壁３は、図１〜図３に示すように、例えば、上部に位置する上壁部３ａと、下部に位置する前記下壁部３ｂと、これら上壁部３ａの両端部と下壁部３ｂの両端部との間に立設される側壁部３ｃとを枠状に組み立ててなる。
そして、これら上壁部３ａと、下壁部３ｂと、側壁部３ｃとで囲まれた位置に、前記開口部４が設けられている。
【００３２】
また、前記下壁部３ｂは、図２に示すように、フラットに形成された前記部屋１の床１ａおよびバルコニー２の床２ａに対して、側断面視において凸型に隆起したように立設されている。
なお、このような凸型の段差はいわゆる跨ぎ段差であり、この段差を乗り越えるためには、ただ単に段差の上部に足を上げるだけでなく、段差の上部に足を上げた後に段差の向こう側に足を運ばなければならない。しかしながら、前記ベンチ１０およびデッキ２０が、この跨ぎ段差である下壁部３ｂを介して連続的に、かつ略等しい高さとなるように配置されているので、前記部屋１とバルコニー２との間の段差を、跨ぎ段差から、単に部屋１の床１ａとベンチ１０上とを昇降するだけの単純段差へと変えることができ、前記部屋１とバルコニー２とを行き来する際の安全性を高めることができる。
【００３３】
また、前記開口部４にはサッシ５が取り付けられている。このサッシ５に設けられる窓としては、例えば折りたたみ窓のような全開放可能な窓が採用されている。この折りたたみ窓は、例えば引違い戸等に比して、開口部をより広く開放させることができるので好ましい。
【００３４】
一方、前記ベンチ１０は、図２に示すように、前記部屋１の床１ａ上に立設される複数の脚部１２ａと、これら複数の脚部１２ａの上端部同士に架設される上部パネル１２ｂとを有する基台１２を備えており、この基台１２の上部パネル１２ｂの上面に、座板１１が設けられている。
なお、この基台１２は、前記上部パネル１２ｂの先端が、前記脚部１２ａよりも部屋１側に突出するようにして形成されている。
【００３５】
また、前記座板１１は、前記ベンチ１０の長さ方向に沿って長尺な複数の板材１１ｂからなり、これら複数の板材１１ｂは、これら複数の板材１１ｂ間に設けられるとともに、これら複数の板材１１ｂ同士を連結する連結ブラケット１１ｃによって連結されている。
また、この座板１１を構成する複数の板材１１ｂのうち、部屋１側端部に位置する板材１１ｂは、他の板材１１ｂと直交する方向に、かつ下垂するようにして前記上部パネル１２ｂの部屋１側端部に取付固定されている。
【００３６】
また、前記上部パネル１２ｂは、図２に示すように、前記複数の脚部１２ａの上端部同士に架設される複数の根太と、これら複数の根太の室内側端部間に架設される横木と、これら根太および横木の上面に取り付けられる面材とを備えている。
【００３７】
さらに、前記複数の脚部１２ａのうち、室内側に配置される脚部１２ａの前面には、部屋１に露出する前面化粧板１２ｆを取り付けるための前面下地板１２ｅが取り付けられている。また、この前面下地板１２ｅに取り付けられる前面化粧板１２ｆの下端部は、前記部屋１の床１ａから所定の隙間をあけて前記前面下地板１２ｅに取り付けられており、この隙間に、前記部屋１の床１ａに敷設されるフローリング材１ｂの端部が差し込まれるようになっている。
【００３８】
そして、前記上部パネル１２ｂの裏面には、前記前面下地板１２ｅの上端部から前記上部パネル１２ｂの横木の部屋１側端部にかけて、裏面下地板１２ｃが取り付けられており、さらに、この裏面下地板１２ｃの部屋１側端部と、前記座板１１を構成し、かつ部屋１側端部に位置する板材１１ｂとには、アングル材１２ｄが取付固定されている。
【００３９】
また、このように形成されたベンチ１０の下面には、このベンチ１０の下方を照らす照明装置（図示せず）が設けられている。
すなわち、前記上部パネル１２ｂの先端は、上述のように、前記脚部１２ａよりも部屋１側に突出しており、この突出部分の下面側に、前記裏面下地板１２ｃやアングル材１２ｄが設けられており、このように突出した部分に、下方に向かって光を照射する照明装置が設けられているものとする。
これによって、前記ベンチ１０の下部を明るくすることができるので、このベンチ１０上にあがる際に、足等をぶつけにくくなるので、安全性が高い。
【００４０】
なお、前記座板１１は、図２に示すように、この座板１１の開口部４側端部からバルコニー２側に向かって延出することによって前記下壁部３ｂの上面を覆う延出部１１ａを備えている。すなわち、この座板１１を構成する複数の板材１１ｂのうち、開口部４側端部に位置する板材１１ｂの開口部４側端部に、前記延出部１１ａが備えられていることとなる。
そして、この延出部１１ａで前記下壁部３ｂの上面を覆うことによって、前記ベンチ１０を、前記バルコニー２側に突出させて範囲を広げたように見せることができる。これによって、前記ベンチ１０とデッキ２０とを、より連続的に見せることができるので、前記部屋１とバルコニー２との一体感を、より向上させることができる。
【００４１】
なお、本実施の形態の延出部１１ａは、図２に示すように、前記下壁部３ｂの上面に取り付けられた調整材３ｄの上面を覆うようにして設けられている。
また、この調整材３ｄは、後述するサッシ５の下枠５ａの部屋１側端部と略等しい高さとなるように設定されている。
【００４２】
さらに、このように前記部屋１とバルコニー２との一体感を向上させる手段として、前記サッシ５の下枠５ａを、前記下壁部３ｂの上端部に固定するとともに、前記ベンチ１０の座板１１の延出部１１ａと前記デッキ２０の開口部４側端部との間に位置させることが好ましい。
これによって、このサッシ５の下枠５ａによって前記ベンチ１０の座板１１の延出部１１ａと前記デッキ２０の開口部４側端部とを連続的に見せることができるので、前記部屋１とバルコニー２との一体感を、さらに向上できるようになっている。
【００４３】
さらに、図２に示すように、前記下枠５ａの部屋１側端部および前記調整材３ｄのバルコニ２側端部の上部には、前記座板１１の延出部１１ａのバルコニ２側端部と、前記サッシ５の下枠５ａの部屋１側端部とを覆うカバー材５ｂが設けられている。
【００４４】
また、前記ベンチ１０は、図１に示すように、前記開口部４の幅寸法よりも幅広となるように形成されている。なお、本実施の形態においては、バルコニ２の側部に立設された壁部を超えて配置されており、前記壁３よりも幅広に形成されている。
これによって、前記バルコニー２に配置されたデッキ２０が、部屋１側に突出して配置されたような印象を与える際に、より前記デッキ２０を突出させたような印象を与えることができる。
また、同じく、前記ベンチ１０の奥行き寸法を広く形成するようにしてもよい。これによって、より一層前記デッキ２０を突出させたような印象を与えることができる。
さらに、このベンチ１０は、前記開口部４から外れた位置に、凹型に形成された室内植栽部１３を備えている。この室内植栽部１３の底部は、前記部屋１の床１ａとなっており、つまり、前記ベンチ１０の高さ分の深さに設定されていることとなる。
この室内植栽部１３には、プランター・鉢等を設置して、このプランター・鉢等で花や観葉植物を栽培できるようになっている。
【００４５】
一方、前記デッキ２０は、図１〜図６に示すように、このデッキの上部に設けられることによって床面を構成するデッキ床２１と、このデッキ床２１を支持する基台２２とを備えている。また、この基台２２は、例えば複数の根太を縦横に架け渡しながら前記バルコニー２の床２ａ上に組み上げるなどして形成される。
また、前記デッキ床２１は、前記ベンチ１０の座板１１を構成する複数の板材１１ｂと同様の方向に長尺に形成された複数の板材２１ａを互いに連結してなる。
【００４６】
そして、このデッキ２０は、図１〜図３に示すように、前記開口部４を有する壁３を除くバルコニー２の周縁部から所定の間隔をあけて設けられており、このデッキ２０と前記バルコニー２の周縁部との間が植栽部２ｂとされている。
この植栽部２ｂでは、花や観葉植物等の植物を栽培できるようになっている。これによって、夏季の室温の上昇を抑制できたり、居住者が安らぎ感を得られたり等の緑化による様々な効果を得ることができるので、快適な居住環境を得ることができる。
【００４７】
この植栽部２ｂには、プランター・鉢等を設置して、このプランター・鉢等で花や観葉植物を栽培することが好ましいが、例えば、前記バルコニー２の床２ａに防水層や防根シート、排水設備を設けるなどして、この植栽部２ｂに直に土を入れて、花や草木を栽培するようにしてもよい。
また、この植栽部２ｂに、例えば紅葉する植物を栽培してもよい。これによって、居住者が様々なシチュエーションを楽しむことができるので、好ましい。
【００４８】
また、このような植栽部２ｂの他にも、前記バルコニー２に、図３に示すように、植物を栽培できる緑化ルーバー７を設置するなどして、このバルコニー２の緑化を図るようにしても良い。本実施の形態の緑化ルーバー７は、前記開口部４を有する壁３と前記ルーバー６との間に立設されるバルコニー２の周壁部に沿って立設されている。
なお、前記植栽部２ｂや緑化ルーバー７には、給水源２ｃに接続されるとともに、タイマーや水量調節等の機能を有し、自動で水やりが可能な潅水制御装置２ｄを設けるようにしてもよい。
【００４９】
また、快適な居住環境を得る手段として、緑化を図る以外にも、例えば前記バルコニー２には、このバルコニー２内の空気を加湿冷却する加湿冷却手段８が設けるようにしてもよい。本実施の形態の加湿冷却手段８は、前記ルーバー６や緑化ルーバー７の周囲に設けられているものとする。
【００５０】
この加湿冷却手段は、図３に示すように、前記ルーバー６や緑化ルーバー７の上部付近に設けられる複数のノズル８ａと、これら複数のノズル８ａに水を供給する供給手段８ｂと、これら複数のノズル８ａおよび供給手段８ｂを接続する給水パイプ８ｃとを備えている。そして、このノズル８ａによって、極微細な水分（例えば４マイクロメートル程度）をノズル８ａから噴霧でき、その噴射された水分の気化熱を利用することによって周囲を濡らさずに冷却できるようになっている。
また、このような加湿冷却手段８によれば、前記複数のノズル８ａから噴射される極微細霧状の水分が気化する際の気化熱によってバルコニー２内の温度を低下させることができる。さらに、前記ルーバー６から風を取り込んで、前記部屋１内に吹き込ませることによって、この部屋１の温度も低下させることができるので、特に夏季における居住環境を格段に快適なものとすることができる。
また、例えばバルコニー２をライトアップすることで、前記ノズル８ａから噴射される細かな水分と光との相乗効果により、バルコニー２内を靄のかかったような普段とは異なる空間を作り出すこともできるので、居住者が様々なシチュエーションを楽しむことができ、好ましい。
【００５１】
なお、前記ノズル８ａから噴射された水分は、極微細で気化しやすいため、部屋１内に吹き込んだとしても、部屋１内を濡らすことがない。
また、前記ノズル８ａの噴射口（図示せず）の大きさを調節可能とし、噴射される水分の大きさを調節可能としてもよいものとする。例えば噴射される水分を大きくして、前記植栽部２ｂの花や観葉植物等に水やりを行ってもよい。
【００５２】
一方、前記デッキ２０には、図１〜図４に示すように、前記デッキ床２１と前記バルコニー２の床２ａとの間に収納部２３を設けるようにしてもよい。これによって、前記バルコニー２で使用する物品や外部で使用する物品を収納することができるので、好ましい。
【００５３】
また、本実施の形態の収納部２３は、図４に示すように、上方に向かって開口する取り出し口２４と、この取り出し口２４を開閉する蓋部２５とを備えており、この蓋部２５の上面には、上面が、前記デッキ床２１の上面と面一となる補助床材２５ａが取り付けられている。
なお、前記蓋部２５には、図示はしないが、この蓋部２５の表面に突出しない把手が設けられていることが望ましい。
また、この蓋部２５は、この蓋部２５の下面周縁部にパッキン等（図示せず）を設けることによって前記収納部２３を水密に閉塞することができるようになっている。
【００５４】
このような収納部２３によれば、前記収納部２３は、上方に向かって開口する取り出し口２４と、この取り出し口２４を開閉する蓋部２５とを備えているので、この蓋部２５によって前記取り出し口２４を確実に開閉できる。
また、前記蓋部２５の上面には、上面が、前記デッキ床２１の上面と面一となる補助床材２５ａが取り付けられているので、前記デッキ２０上に段差が生じることを防ぐことができ、前記デッキ床２１上を障害なく歩行できる。しかも、これら補助床材２５ａとデッキ床２１とを一体的に見せることができるので、前記蓋部２５の存在を目立たなくすることが可能となっている。
【００５５】
また、このような収納部２３を前記デッキ２０に設ける際は、前記デッキ２０を構成するデッキ床２１に前記収納部２３を入れ込むための開口を形成するとともに、前記収納部２３を設置するためのスペースを確保しながら前記基台２２を形成する。
【００５６】
なお、このような収納部２３の他にも、図５に示すように、例えば前記植栽部２ｂ側に向かって開口する取り出し口２４Ａと、この取り出し口２４Ａを開閉する扉部２５Ａとを備える収納部２３Ａを採用してもよいものとする。
このような収納部２３Ａによれば、前記扉部２５Ａによって前記取り出し口２４Ａを確実に開閉できるだけでなく、物品を側方向から前記収納部２３Ａに収納したり、前記収納部２３Ａから取り出したりすることができる。
これによって、例えば前記デッキ床２１に収納部２３を入れ込むための開口を形成したり、収納部２３の蓋部２５に補助床材２５ａを取り付けたりする必要がなくなるので、好ましい。
【００５７】
なお、図６に示すように、この収納部２３Ａと、前記収納部２３とを、同時に前記デッキ２０下に設けてもよく、これら収納部２３，２３Ａを並設してもよいものとする。これら収納部２３，２３Ａを並設するは、隣り合う収納部２３，２３Ａ間に仕切り壁２６等を設けて仕切るようにしてもよい。
【００５８】
本実施の形態によれば、前記部屋１には、前記下壁部３ｂに当接して配置されるとともに、前記下壁部３ｂと略等しい高さに設定されるベンチ１０が設けられており、前記バルコニー２には、前記下壁部３ｂに近接して配置されるとともに、前記下壁部３ｂと略等しい高さに設定されるデッキ２０が設けられているので、前記下壁部３ｂが目に入り難くなるとともに、この下壁部３ｂを跨いで前記部屋１とバルコニー２とを行き来する必要がなくなる。しかも、前記ベンチ１０とデッキ２０とを、前記下壁部３ｂを介して連続的に、かつ略等しい高さとなるように配置できるので、前記部屋１からバルコニー２を眺めた際に、前記バルコニー２に配置されたデッキ２０が、部屋１側に突出して配置されたような印象を与えることができる。
これによって、従来に比して、前記部屋１とバルコニー２との一体感を向上させることができるので、居住者は、前記部屋１からバルコニー２を眺めた際に、前記部屋１にいながらにして、庭にいるような開放感を得ることが可能となる。
【符号の説明】
【００５９】
１ 部屋
２ バルコニー
３ 壁
３ｂ 下壁部
４ 開口部
１０ ベンチ
２０ デッキ
【図１】
0005917465.tif 000002
【図２】
0005917465.tif 000003
【図３】
0005917465.tif 000004
【図４】
0005917465.tif 000005
【図５】
0005917465.tif 000006
【図６】
0005917465.tif 000007